(57)【要約】【課題】インレットなどの薄型電子部品を簡易に、安定よく収納する一方で、リサイクル使用を可能とする。【解決手段】ＲＦＩＤインレットリサイクル用ラベルはインレットを収納するためのベーステープ１とカバーテープ２とを備える。ベーステープ１とカバーテープ２は一側縁部を接合部３として結合される。カバーテープ２はテープ基材２１とテープ基材２１の内面に粘着剤２２により積層され剥離部２３、残置部２４からなる保護シート２５とにより構成される。ベーステープ１はテープ基材１１とテープ基材１１の内面に積層されカバーテープ２のテープ基材２１が粘着剤２２により接着可能でかつ引き剥がし可能な接着・剥離層１２とにより構成される。【選択図】図２
2014170257.tif 000002
【特許請求の範囲】
【請求項１】
テープ状又はシート状の薄型電子部品を包装するＲＦＩＤインレットリサイクル用ラベルであって、
当該薄型電子部品を両面側から挟んで収納可能に当該薄型電子部品の平面よりも大きい平面を有するベーステープとカバーテープとを備え、
前記ベーステープと前記カバーテープは相互に内面縁部の一部を接合部として結合され、
前記ベーステープ又は前記カバーテープの一方は、テープ基材と、前記テープ基材の内面に粘着剤を介して積層され、前記ベーステープと前記カバーテープとの接合部から前記テープ基材の内面縁部に沿って略コ字形又は略Ｃ字形に剥離可能な剥離部、及び前記剥離部の内側で前記テープ基材の内面に前記テープ基材の内面の一部として残される残置部からなる保護シートとを有し、
当該薄型電子部品を前記ベーステープと前記カバーテープとの間に配置して、前記ベーステープと前記カバーテープとを前記保護シートの剥離部の剥離により当該剥離された後の前記粘着剤により袋状に接合することにより、当該薄型電子部品を前記ベーステープと前記カバーテープとの間に封入し、前記ベーステープと前記カバーテープとの間で当該薄型電子部品を前記テープ基材の内面の前記残置部を介して押え保持する、
ことを特徴とするＲＦＩＤインレットリサイクル用ラベル。
【請求項２】
ベーステープ又はカバーテープの他方は、テープ基材と、前記テープ基材の内面に形成又は積層され、一方のテープ基材が粘着剤により接着可能でかつ引き剥がし可能な接着・剥離層とを有し、袋状に接合後の前記ベーステープと前記カバーテープが引き剥がし可能に構成される請求項１に記載のＲＦＩＤインレットリサイクル用ラベル。
【請求項３】
一方のテープ基材に積層される保護シートは剥離部と残置部が一体に形成され、前記剥離部と前記残置部との間に切り込みを付けられて、前記剥離部が前記残置部に対して切り離し可能に形成される請求項１又は２に記載のＲＦＩＤインレットリサイクル用ラベル。
【発明の詳細な説明】
【技術分野】
【０００１】
本発明は、ＲＦＩＤ用インレットなどのテープ状又はシート状の電子部品その他の薄型電子部品を繰り返し使用可能に貼付するのに使用するＲＦＩＤインレットリサイクル用ラベル（以下の説明文においては、単に「ＲＦＩＤインレット用ラベル」という）に関する。
【背景技術】
【０００２】
従来から、微小サイズの電子部品であるＲＦＩＤインレット用ラベルを、被着管理物に貼付するために直接ラベルシールが貼り付けられたり、或いは粘着剤が塗布されたりしている。また、底面に両面テープを貼付された樹脂ケースが用いられている。このようなラベルの例としては、例えば特許文献１に開示されている
【０００３】
この文献１のデータ記憶素子保持ラベル（上記ＲＦＩＤインレット用ラベルに相当する）は、最上部にある表面基材の下面に粘着剤層が形成されていて、この粘着剤層の、表面基材側とは反対の露出面側は、対象物に貼着できるようになっている。このデータ記憶素子保持ラベルにおいてデータ記憶素子は、粘着剤層の露出面側に配置されて粘着剤層に保持されていて、データ記憶素子の一方の面は、粘着剤層の表面に密着している。
【先行技術文献】
【特許文献】
【０００４】
【特許文献１】特開２００２−７２８８６号公報
【発明の概要】
【発明が解決しようとする課題】
【０００５】
近年、非接触型の電子タグやＲＦＩＤ（Radio Frequency IDentification)用タグ等に搭載される薄型のＲＦＩＤ用インレットが提案されている。このようなテープ状又はシート状の電子部品その他の薄型電子部品を保持するラベルの被着管理物への貼付に当たって、従来のような直接ラベルシールが貼付されたり、粘着剤が塗布されたりした場合、被着管理物を変更したいときに、ラベルを剥して再使用しようとしても、当該ラベル若しくはこれに保持された電子部品を使用できない状態となる。また、上記樹脂ケースを用いる場合、      薄型電子部品が樹脂ケース内で安定性が悪く、がたつく恐れがあり、また、ケース自体が高価なものとなるという問題がある。
【０００６】
本発明は、このような従来の問題を解決するもので、非接触型の電子タグやＲＦＩＤ用インレットなどのテープ状又はシート状の電子部品その他の薄型電子部品を安定よく、がたつきを抑えて収納することができ、また、この種の薄型電子部品を簡易に収納し、リサイクル使用を図ることのできるＲＦＩＤインレット用ラベルを提供することを目的とする。
【課題を解決するための手段】
【０００７】
上記目的を達成するために、本発明のＲＦＩＤインレット用ラベルは、テープ状又はシート状の薄型電子部品を包装するＲＦＩＤインレット用ラベルであって、当該薄型電子部品を両面側から挟んで収納可能に当該薄型電子部品の平面よりも大きい平面を有するベーステープとカバーテープとを備え、前記ベーステープと前記カバーテープは相互に内面縁部の一部を接合部として結合され、前記ベーステープ又は前記カバーテープの一方は、テープ基材と、前記テープ基材の内面に粘着剤を介して積層され、前記ベーステープと前記カバーテープとの接合部から前記テープ基材の内面縁部に沿って略コ字形又は略Ｃ字形に剥離可能な剥離部、及び前記剥離部の内側で前記テープ基材の内面に前記テープ基材の内面の一部として残される残置部からなる保護シートとを有し、当該薄型電子部品を前記ベーステープと前記カバーテープとの間に配置して、前記ベーステープと前記カバーテープとを前記保護シートの剥離部の剥離により当該剥離された後の前記粘着剤により袋状に接合することにより、当該薄型電子部品を前記ベーステープと前記カバーテープとの間に封入し、前記ベーステープと前記カバーテープとの間で当該薄型電子部品を前記テープ基材の内面の前記残置部を介して押え保持する、ことを要旨とする。
【０００８】
この場合、ベーステープ又はカバーテープの他方は、テープ基材と、前記テープ基材の内面に形成又は積層され、一方のテープ基材が粘着剤により接着可能でかつ引き剥がし可能な接着・剥離層とを有し、袋状に接合後の前記ベーステープと前記カバーテープが引き剥がし可能に構成されることが好ましい。
【０００９】
また、この場合、一方のテープ基材に積層される保護シートは剥離部と残置部が一体に形成され、前記剥離部と前記残置部との間に切り込みを付けられて、前記剥離部が前記残置部に対して切り離し可能に形成されることが好ましい。
【発明の効果】
【００１０】
本発明のＲＦＩＤインレット用ラベルによれば、上記の構成により、薄型電子部品をベーステープとカバーテープとの間に配置して、このベーステープとカバーテープとを、保護シートの剥離部の剥離によりこの剥離された後の粘着剤により袋状に接合することにより、薄型電子部品をベーステープとカバーテープとの間に封入し、このベーステープとカバーテープとの間で薄型電子部品をテープ基材の内面の凸状の残置部を介して押え保持するので、非接触型の電子タグやＲＦＩＤ用インレットなどのテープ状又はシート状の電子部品その他の薄型電子部品を安定よく、がたつきを抑えて収納することができる。
【００１１】
また、このＲＦＩＤインレット用ラベルでは、上記のとおり、薄型電子部品をベーステープとカバーテープとの間に配置して、このベーステープとカバーテープとを保護シートの剥離部の剥離によりこの剥離された後の粘着剤により袋状に接合することにより、薄型電子部品をベーステープとカバーテープとの間に封入するので、薄型電子部品を簡易に収納することができ、包装コストの低減を図ることができる。また、薄型電子部品は、ベーステープとカバーテープとの間において接着されることなく封入配置されるため、ＲＦＩＤインレット用ラベルの袋状接合を保持したまま中味の薄型電子部品を取り出すことができ、外部部材であるＲＦＩＤインレット用ラベルは再使用が可能となる。
【図面の簡単な説明】
【００１２】
【図１】本発明の一実施の形態におけるＲＦＩＤインレット用ラベルの構成を示す図（（ａ）はベーステープとカバーテープが重合された状態の平面図（ｂ）は（ａ）の側面図）
【図２】同ＲＦＩＤインレット用ラベルの構成を示す図（（ａ）はベーステープに対してカバーテープ開いた状態の平面図（ｂ）は（ａ）の側面図）
【図３】同ＲＦＩＤインレット用ラベルによる薄型電子部品（この場合、ＲＦＩＤ用インレット）の収納状態を示す図
【発明を実施するための形態】
【００１３】
次に、この発明を実施するための形態について図を用いて説明する。図１及び図２に本発明のＲＦＩＤインレット用ラベルを示している。なお、ここでは、テープ状又はシート状の薄型電子部品として、特にＲＦＩＤ用インレット（以下、単に、インレットという。）を包装するのに使用するＲＦＩＤインレット用ラベルを例示している。
【００１４】
図１及び図２に示すように、ＲＦＩＤインレット用ラベルＴは、インレットを両面側から挟んで収納可能にインレットの平面よりも大きい平面を有するベーステープ１とカバーテープ２とを備える。なお、これらベーステープ１、カバーテープ２は同一の大きさ、形状を有し、この場合、同じ大きさの横長の長方形に形成される。
【００１５】
ベーステープ１とカバーテープ２は相互に内面縁部の一部、この場合、一側部（長辺）の縁部（以下、一側縁部という。）を接合部３として結合される。なお、この場合、後述するとおり、カバーテープ２はテープ基材２１の内面に粘着剤２２が塗布されており、ベーステープ１の内面一側縁部とカバーテープ２の内面一側縁部がカバーテープ２内面の粘着剤２２により接着固定される。これにより、カバーテープ２はベーステープ１上に重合可能で、かつ、ベーステープ１上に重ねられた状態から、ベーステープ１とカバーテープ２の接合部３を回動中心にして回動可能であり、ベーステープ１とカバーテープ２との間が開閉可能になっている。
【００１６】
このＲＦＩＤインレット用ラベルＴの場合、カバーテープ２は、テープ基材２１と、テープ基材２１の内面全体に粘着剤２２を介して積層され、ベーステープ１とカバーテープ２との接合部３の両端からテープ基材２１の内面縁部に沿って略コ字形に剥離可能な剥離部２３、及び剥離部２３の内側でテープ基材２１の内面にテープ基材２１の内面の一部として横長の長方形状に残される残置部２４からなる保護シート２５とにより構成される。この場合、テープ基材２１の内面に積層される保護シート２５は剥離部２３と残置部２４が一体に形成され、剥離部２３と残置部２４との間に切り込み２６を付けられて、剥離部２３が残置部２４に対して切り離し可能に形成される。なお、残置部２４の平面はインレットの平面よりも少し大きい面積が確保される。
【００１７】
また、ベーステープ１は、テープ基材１１と、テープ基材１１の内面に形成又は積層され、カバーテープ２のテープ基材２１が粘着剤２２により接着可能でかつ引き剥がし可能な接着・剥離層１２とにより構成される。この場合、テープ基材１１の接着・剥離層１２はテープ基材１１に少なくとも一方の面が平滑で接着性、剥離性を有する材質のものを用いて形成されてもよく、テープ基材１１の内面が薬品などを用いて平滑に加工されて接着性、剥離性を有するように形成されてもよく、また、テープ基材１１に平滑な面を有し接着性、剥離性を有する別のフィルム、シート、テープなどを重合接着して積層されてもよい。
【００１８】
ＲＦＩＤインレット用ラベルＴはかかる構成を備え、インレットの包装に際し、インレットをベーステープ１とカバーテープ２との間に配置して、ベーステープ１とカバーテープ２とを、カバーテープ２の保護シート２５の剥離部２３の剥離によりこの剥離された後の粘着剤２２により袋状に接合することにより、インレットをベーステープ１とカバーテープ２との間に封入し、ベーステープ１とカバーテープ２との間でインレットをカバーテープ２のテープ基材２１の内面の残置部２４を介して押え保持するようになっており、また、このＲＦＩＤインレット用ラベルＴからインレットを取り出す際に、袋状に接合後のベーステープ１とカバーテープ２が引き剥がし可能になっている。
【００１９】
このＲＦＩＤインレット用ラベルＴを用いてインレットを包装する場合の手順は次のとおりである。なお、この手順は右利きの作業者向けで、左利きの作業者の場合、この手順の右、左の指示が反対になる。
（１）まず、ＲＦＩＤインレット用ラベルＴの左側よりベーステープ１からカバーテープ２をめくり上げる。この場合、カバーテープ２全体がベーステープ１に対して９０度以上めくり上げられないようにカバーテープ２の右側をカバーテープ２の上から右手で抑えておくことが好ましい。
（２）次に、カバーテープ２の内面縁部の保護シート２５の剥離部２３を左端から右端に向けて順次略コの字形に引き剥がす。この場合、剥離部２３の剥がした後のカバーテープ２の内面縁部の粘着剤２２がベーステープ１の内面に接触しないように、カバーテープ２をベーステープ１の内面から離しておく。
（３）続いて、インレットをベーステープ１の内面に配置する。この場合、インレットの表面の両端及び中央を右手の３本の指で抑えながら、インレットをベーステープ１上で位置調整し、カバーテープ２内面の保護シート２５の残置部２４の真下に来るように位置決めする。
（４）ベーステープ１上にインレットを配置したら、カバーテープ２の左側から順次カバーテープ２の内面縁部をベーステープ１の内面縁部に合せながら、カバーテープ２を粘着剤２２を介してベーステープ１に押え付けるようにして貼り付ける。これにより、インレットの包装が完了する。
【００２０】
また、このＲＦＩＤインレット用ラベルＴからインレットを取り出す場合の手順は次のとおりである。
（１）まず、ＲＦＩＤインレット用ラベルＴの右端の剥離部２３に当たる部分をハサミで切断する。この場合、インレットを切らないように注意が必要である。
（２）ＲＦＩＤインレット用ラベルＴの右端を切断したら、ＲＦＩＤインレット用ラベルＴの切り口を両側から押して切り口を広げる。
（３）次に、拡げた切り口に指を差し込み、切り口をさらに拡げるようにして、粘着剤２２により接着されたカバーテープ１とベーステープ２の接合部３とその反対側の側縁部を、ＲＦＩＤインレット用ラベルＴ内部のインレットの一端が外に現れるまで引き剥がす。
（４）ＲＦＩＤインレット用ラベルＴ内部のインレットの一端が外に出てきたら、インレットを指で摘み、これをＲＦＩＤインレット用ラベルＴの外に引き出す。これにより、インレットの取り出しが完了する。
【００２１】
図３にこのＲＦＩＤインレット用ラベルＴを用いたインレットの包装状態を示している。このインレットの包装では、図３に示すように、インレットＰがベーステープ１とカバーテープ２との間に配置された状態で、このベーステープ１とカバーテープ２が、カバーテープ２の保護シート２５の剥離部２３の剥離により、剥離部２３がベーステープ１とカバーテープ２との接合部３の両端からカバーテープ２のテープ基材２１の内面縁部に沿って略コ字形に剥離された後の粘着剤２２により袋状に接合されることにより、インレットＰがベーステープ１とカバーテープ２との間に封入され、このベーステープ１とカバーテープ２との間でインレットＰはカバーテープ２のテープ基材２１の内面から剥離部２３の剥離により、このテープ基材２１の内面上で（保護シート２５の厚み分だけ）凸状になった残置部２４で押え保持される。これにより、インレットＰはこのＲＦＩＤインレット用ラベルＴ内に安定よく、がたつくことなく収納される。
【００２２】
また、このＲＦＩＤインレット用ラベルＴによるインレットＰの包装の場合、上記のとおり、ベーステープ１とカバーテープ２との間にインレットＰが配置された状態で、このベーステープ１とカバーテープ２がカバーテープ２の保護シート２５の剥離部２３の剥離によりこの剥離された後の粘着剤２２により袋状に接合されて、インレットＰをベーステープ１とカバーテープ２との間に封入するので、インレットＰは簡易に収納される。そして、このＲＦＩＤインレット用ラベルＴからインレットＰを取り出す際は、袋状に接合後のベーステープ１とカバーテープ２が引き剥がし可能になっているので、ベーステープ１に対してカバーテープ２を引き剥がすことで、このＲＦＩＤインレット用ラベルＴからインレットＰを容易に取り出すことができる。
【００２３】
以上説明したように、このＲＦＩＤインレット用ラベルＴによれば、既述のとおり、インレットＰをベーステープ１とカバーテープ２との間に配置して、このインレットＰをベーステープ１とカバーテープ２とを、カバーシート２の保護シート２１の剥離部２３の剥離により、剥離部２３がベーステープ１とカバーテープ２との接合部３からテープ基材２１の内面縁部に沿って略コ字形に剥離された後の粘着剤２２により袋状に接合することにより、インレットＰをベーステープ１とカバーテープ２との間に封入し、このベーステープ１とカバーテープ２との間でインレットＰをカバーテープ２のテープ基材２１の内面から剥離部２３の剥離により、このテープ基材２１の内面上で凸状になった残置部２４で押え保持するので、インレットＰを安定よく、がたつきを抑えて収納することができる。
【００２４】
このようにしてインレットＰを収納したＲＦＩＤインレット用ラベルＴは、インレットＰを収納した状態で書籍や各種ファイルに取り付けられて書類管理に用いられる。ＲＦＩＤを装備したインレットＰは、アンテナと、コントローラからなるリーダライタと、情報を電子回路に記憶可能なＩＤタグとで構成され、無線通信によりコンピュータとの間でデータ送受信ができる機能を有する。したがって、インレットＰは非接触で読み書きができ、且つ繰り返し使用できる。また、バーコードと違って、取り付け相手の表面が汚れている場合や、書籍や各種ファイルの中に挟まれて隠れている場合でも読み書きができるという利点がある。そして、本発明の場合は、インレットＰは、保護シート２５の存在により、ベーステープ１とカバーテープ２との間においていずれにも接着されることなく封入配置されるため、ＲＦＩＤインレット用ラベルＴの袋状接合を保持したまま中味のインレットＰを取り出すことができ、取り出されたインレットＰは再度ＲＦＩＤインレット用ラベルＴに包装されて別の書籍、ファイルに取り付けられて再使用が可能となる。さらに、このＲＦＩＤインレット用ラベルＴでは、上記のとおり、ベーステープ１とカバーテープ２との間にインレットＰを配置して、このベーステープ１とカバーテープ２とを保護シート２５の剥離部２３の剥離によりこの剥離された後の粘着剤２２により袋状に接合することにより、インレットＰをベーステープ１とカバーテープ２との間に封入するので、インレットＰを簡易に収納することができ、包装コストの低減を図ることができる。
【００２５】
なお、この実施の形態では、カバーテープ２が、テープ基材２１と、テープ基材２１の内面に粘着剤２２を介して積層される剥離部２３及び残置部２４からなる保護シート２５とを有し、ベーステープ１が、テープ基材１１と、テープ基材１１の内面に形成又は積層される接着・剥離層１２とを有するものとしたが、これとは反対に、ベーステープ１が、テープ基材と、テープ基材の内面に粘着剤を介して積層される剥離部及び残置部からなる保護シートとを有し、カバーテープ２が、テープ基材と、テープ基材の内面に形成又は積層される接着・剥離層とを有するものとして、インレットをベーステープ１とカバーテープ２との間に配置して、このベーステープ１とカバーテープ２とを、ベーステープ１の保護シートの剥離部の剥離により、剥離部がベーステープ１とカバーテープ２との接合部からベーステープ１のテープ基材の内面縁部に沿って略コ字形に剥離された後の粘着剤により袋状に接合することにより、インレットをベーステープ１とカバーテープ２との間に封入し、このベーステープ１とカバーテープ２との間でインレットをベーステープ１のテープ基材の内面から剥離部の剥離により、テープ基材の内面上で凸状になった残置部で押え保持するようにしてもよく、また、袋状に接合後のベーステープ１とカバーテープ２を引き剥がし可能にしてもよい。このようにしても上記実施の形態と同様の作用効果を奏することができる。
【００２６】
また、この実施の形態では、このＲＦＩＤインレット用ラベルＴはインレットの包装用に横長の長方形状に形成されているが、このＲＦＩＤインレット用ラベルＴの形状は、包装する薄型電子部品の外形に応じて略長方形を含む略四角形又は略円形など種々に変更可能であり、また、この形状に応じて、保護シートの剥離部が略コ字形又は略Ｃ字形などに、残置部が略長方形を含む略四角形又は略円形などに種々に変更可能である。
【産業上の利用可能性】
【００２７】
本発明のＲＦＩＤインレット用ラベルは、薄型電子部品（インレット）をベーステープとカバーテープとの間に配置して、このベーステープとカバーテープとを、袋状に接合して接着固定することなく封入するので、非接触型の電子タグやＲＦＩＤ用インレットなどのテープ状又はシート状の電子部品その他の薄型電子部品を安定よく、がたつきを抑えて収納することができる。また、インレットは接着固定されないから、一旦使用された後は袋状のＲＦＩＤインレット用ラベルから取り出して、別の使用箇所で再使用することができ、有用である。
【符号の説明】
【００２８】
Ｔ  ＲＦＩＤインレット用ラベル
Ｐ  インレット（薄型電子部品）
１  ベーステープ
１１  テープ基材
１２  接着・剥離層
２  カバーテープ
２１  テープ基材
２２  粘着剤
２３  剥離部
２４  残置部
２５  保護シート
２６  切り込み
【図１】
2014170257.tif 000003
【図２】
2014170257.tif 000004
【図３】
2014170257.tif 000005